(57)【要約】【課題】市販されている種々の携帯電話機のキーパッドに表示されている記号（例えば、仮名文字）を簡便な操作で拡大表示し、且つ拡大表示が不要になった際には、簡便な操作でキーパッドを汚すことなく元の大きさの表示に戻すことを可能にする低コストな手段を提供する。【解決手段】携帯電話機のキーパッドにおけるのと同じ配列で、数字、仮名文字、アルファベット及びその他の記号からなる群より選ばれる少なくとも１種の記号が拡大表示された表面、及び脱着可能な吸着材料によって形成された裏面を有し、該表面の拡大表示記号のサイズが、それに対応する携帯電話機のキーパッドにおける原記号のサイズより大きい、ことを特徴とする携帯電話機のキーパッド用の脱着可能な吸着シート。【選択図】  図２
2010021722.tif 000002
【特許請求の範囲】
【請求項１】
携帯電話機のキーパッドにおけるのと同じ配列で、数字、仮名文字、アルファベット及びその他の記号からなる群より選ばれる少なくとも１種の記号が拡大表示された表面、及び
脱着可能な吸着材料によって形成された裏面
を有し、該表面の拡大表示記号のサイズが、それに対応する携帯電話機のキーパッドにおける原記号のサイズより大きい、
ことを特徴とする携帯電話機のキーパッド用の脱着可能な吸着シート。
【請求項２】
該表面の拡大表示記号のサイズが、それに対応する携帯電話機のキーパッドにおける原記号のサイズの１．２倍以上であることを特徴とする請求項１に記載の吸着シート。
【請求項３】
該表面の拡大表示記号が、仮名文字であることを特徴とする請求項１又は２に記載の吸着シート。
【請求項４】
該裏面を形成する脱着可能な吸着材料が、直径３００μｍ以下の開口を有する孔を、該裏面が吸盤として機能するに十分な数有する発泡吸着材料であることを特徴とする請求項１〜３のいずれかに記載の吸着シート。
【請求項５】
該発泡吸着材料が、アクリル樹脂発泡体であることを特徴とする請求項４に記載の吸着シート。
【請求項６】
該表面が、繊維質材料で形成されていることを特徴とする請求項１〜５のいずれかに記載の吸着シート。
【請求項７】
該表面を形成する繊維質材料が、織布又は不織布であることを特徴とする請求項６に記載の吸着シート。
【請求項８】
厚みが０．２〜２．０ｍｍであることを特徴とする請求項１〜７のいずれかに記載の吸着シート。
【発明の詳細な説明】
【技術分野】
【０００１】
本発明は、携帯電話機のキーパッド用の脱着可能な吸着シートに関する。更に詳細には、本発明は、携帯電話機のキーパッドにおけるのと同じ配列で、数字、仮名文字、アルファベット及びその他の記号からなる群より選ばれる少なくとも１種の記号が表示された表面、及び脱着可能な吸着材料によって形成された裏面を有し、該表面に表示された記号が、それに対応する携帯電話機のキーパッドにおける記号よりも大きいことを特徴とする携帯電話機のキーパッド用の脱着可能な吸着シートに関する。本発明の携帯電話機のキーパッド用の脱着可能な吸着シート（以後、屡々「携帯電話キーパッド用吸着シート」と称す）は、仮名文字などの記号が、通常の携帯電話機のキーパッドと比較して大きく表示されており、且つ携帯電話機への着脱が容易である。従って、高齢者などの視力に問題がある使用者が携帯電話機で電子メールを作成する際などに、本発明の脱着可能な吸着シートを携帯電話機のキーパッドに貼り付けることにより、仮名文字などの入力が容易になる。更に、本発明の携帯電話キーパッド用吸着シートは、接着剤や粘着剤を使用せずにキーパッドに吸着させることができるので、容易に且つキーバットを汚すことなく繰り返し脱着することができる。また、未使用時には携帯電話機本体の裏面などに貼り付けておくことができる。
【背景技術】
【０００２】
携帯電話機のキーパッドには、数字、仮名文字、アルファベット及びその他の記号が記載されているが、通常、数字のみが大きなフォントで表示されており、それ以外の仮名文字などは数字の半分程度の大きさのフォントで表示されている。近年、携帯電話機が広く普及し、高齢者でも携帯電話機を使用して電子メールの作成・送信を行う機会が増える傾向にあり、この傾向は将来益々強まるものと予想されている。ところが高齢者の多くは視力が弱く、小さな文字は判読し難いという問題があった。この問題を解決するために、従来、幾つかの提案がなされている。
【０００３】
例えば、特許文献１には、携帯電話機の操作ボタン部の文字表示を、大きく明瞭に視認し得ることを可能とする携帯電話機用文字表示シールが提案されている。この文献に記載のシールにおいては、携帯電話機の操作ボタン部のボタン間のスペースに対応する部分まで、表示領域を拡大することにより、比較的大きな文字表示を可能にしている。しかし、操作ボタン部のボタン間のスペースはせいぜい数ｍｍ程度であり、それ程大きく拡大することはできない。また、このシールを携帯電話機の操作ボタン部に貼付するために使用する接着剤や粘着剤などに関する記載はなく、このシールを剥がすことに関する記載もないので、通常の接着剤や粘着剤を使用して貼付することを前提にしていることが明らかである。しかし、通常の接着剤や粘着剤を使用した場合、このシールが不要になった場合に、剥がすのが困難であるのみならず、剥がした後に、キー部に接着剤や粘着剤が残ってしまうという問題があった。
【０００４】
また、特許文献２には、仮名文字を直接、携帯電話機に入力する９方陣式日本語入力方法が提案されている。しかし、この特許文献に記載の技術を実施するためには、携帯電話機のキーパッド部分における個々のキーを液晶ディスプレイにしたり、キーパッッド全体をタッチパネルにするなどの高度且つ高コストな技術が必要となってしまう。また、この特許文献の技術においては、文字インターフェイスを切り替えて使用する（例えば、「あ」行の文字が表示されたインターフェイスから「か」行の文字が表示されたインターフェイスに切り替えるなど）。しかし、そのような操作は、現在広く普及している携帯電話機の操作とは全く異なるもので、使用者に新たな操作方法を取得する負担を強いることになり、特に高齢者には相当な負担となる。
【０００５】
更には、富士通株式会社が製造している「らくらくホン」のように、キーパッド上の記号表示を大きくした高齢者向け携帯電話機も販売されているが、仮名文字などの数字以外の記号が十分に大きくないという問題があった。更には、市場には様々なデザイン及び機能を有する携帯電話機が数多く流通しているにもかかわらず、このような高齢者向け携帯電話機は種類が限られているため、選択の幅が極端に狭くなってしまうという問題があった。
【０００６】
【特許文献１】登録実用新案第３１０２９６０号公報
【０００７】
【特許文献２】特開２００２−１２３３６０号公報
【発明の開示】
【発明が解決しようとする課題】
【０００８】
従って、市販されている種々の携帯電話機のキーパッドに表示されている記号（例えば、仮名文字）を簡便な操作で拡大表示し、且つ拡大表示が不要になった際には、簡便な操作でキーパッドを汚すことなく元の大きさの表示に戻すことを可能にする低コストな手段を提供することが望まれていた。
【課題を解決するための手段】
【０００９】
このような状況下、本発明者が上記課題を解決するために鋭意研究を行なった結果、本発明は、携帯電話機のキーパッドにおけるのと同じ配列で、数字、仮名文字、アルファベット及びその他の記号からなる群より選ばれる少なくとも１種の記号が表示された表面、及び脱着可能な吸着材料によって形成された裏面を有し、該表面に表示された記号が、それに対応する携帯電話機のキーパッドにおける記号よりも大きいことを特徴とする携帯電話機のキーパッド用の脱着可能な吸着シートを使用することにより上記課題を解決できることを見出した。この知見に基づき、本発明を完成した。
【００１０】
本発明の上記及びその他の諸目的、諸特徴並びに諸利益は、添付の図面を参照しながら述べる以下の詳細な説明及び請求の範囲の記載から明らかになる。
【発明の効果】
【００１１】
本発明の携帯電話機のキーパッド用の脱着可能な吸着シート（以後、屡々「携帯電話キーパッド用吸着シート」と称す）は、仮名文字などの記号が、通常の携帯電話機のキーパッドと比較して大きく表示されており、且つ着脱が容易である。従って、高齢者等の視力に問題がある使用者が携帯電話機で電子メールを作成する際などに、本発明の脱着可能な吸着シートを携帯電話機のキーパッドに貼り付けることにより、仮名文字などの入力が容易になる。更に、本発明の携帯電話キーパッド用吸着シートは、粘着剤を使用せずにキーパッドに吸着させることができるので、容易に且つキーバットを汚すことなく繰り返し脱着することができる。また、未使用時には携帯電話機の裏などに貼り付けておくことができる。
【発明を実施するための最良の形態】
【００１２】
本発明によれば、携帯電話機のキーパッドにおけるのと同じ配列で、数字、仮名文字、アルファベット及びその他の記号からなる群より選ばれる少なくとも１種の記号が表示された表面、及び
脱着可能な吸着材料によって形成された裏面
を有し、該表面に表示された記号が、それに対応する携帯電話機のキーパッドにおける記号よりも大きい
ことを特徴とする携帯電話機のキーパッド用の脱着可能な吸着シートが提供される。
【００１３】
次に、本発明の理解を容易にするために、本発明の基本的特徴及び好ましい諸態様を列挙する。
【００１４】
１．  携帯電話機のキーパッドにおけるのと同じ配列で、数字、仮名文字、アルファベット及びその他の記号からなる群より選ばれる少なくとも１種の記号が拡大表示された表面、及び
脱着可能な吸着材料によって形成された裏面
を有し、該表面の拡大表示記号のサイズが、それに対応する携帯電話機のキーパッドにおける原記号のサイズより大きい、
ことを特徴とする携帯電話機のキーパッド用の脱着可能な吸着シート。
【００１５】
２．該表面の拡大表示記号のサイズが、それに対応する携帯電話機のキーパッドにおける原記号のサイズの１．２倍以上であることを特徴とする前項１に記載の吸着シート。
【００１６】
３．該表面の拡大表示記号が、仮名文字であることを特徴とする前項１又は２に記載の吸着シート。
【００１７】
４．該裏面を形成する脱着可能な吸着材料が、直径３００μｍ以下の開口を有する孔を、該裏面が吸盤として機能するに十分な数有する発泡吸着材料であることを特徴とする前項１〜３のいずれかに記載の吸着シート。
【００１８】
５．該発泡吸着材料が、アクリル樹脂発泡体であることを特徴とする前項４に記載の吸着シート。
【００１９】
６．該表面が、繊維質材料で形成されていることを特徴とする前項１〜５のいずれかに記載の吸着シート。
【００２０】
７．該表面を形成する繊維質材料が、織布又は不織布であることを特徴とする前項６に記載の吸着シート。
【００２１】
８．厚みが０．２〜１．５ｍｍであることを特徴とする前項１〜７のいずれかに記載の吸着シート。
【００２２】
以下、本発明について添付の図面に参照して詳細に説明する。
【００２３】
図１は、通常の携帯電話機のキーパッド部分の説明図である。図１に示すように、携帯電話機のキーパッド１には、電話をかけたり、電子メールの送受信を行うためなどに必要な１２個の入力操作キー２を備えている。各キー２には、数字、仮名文字、アルファベット及びそれら以外の記号が表示されており、その配列は、大部分の機種に共通している。また、キーパッドや各キーの大きさや配置は、製造元毎にほぼ統一されている。
【００２４】
１２個のキー２を使って文字入力を行う方法に関しては、図１に挙げた例にあるように日本語入力用としてはキーそれぞれに五十音の仮名そのものを複数割り当て（例えば五十音の"あ"行の５文字を１つのキーに割り当てる）、そのキーの押下操作回数で任意の仮名を選択・入力する方式が広く採用されている。図１の例では、"あ"が表示されているキーを１回押下すると"あ"が入力され、また、このキーを５回押下すると"お"が入力される。
【００２５】
また英字入力用としても、上で述べた五十音とは別に２６個の英字を図１の例のようにそれぞれのキーに３文字、ないし４文字ずつ割り当て、仮名の場合と同様にそのキーの押下操作回数で任意の英字を選択・入力する方式が広く採用されている。図１の例では、"abc"が表示されたキーを１回押下すると"Ａ"が入力され、このキーを３回押下すると"Ｃ"が入力される。
【００２６】
このように携帯電話機に実装されているキーパッドでは、数字を除く、５０個の仮名と２６個の英字の７６文字、さらに濁点、半濁点記号などを１２個のキーそれぞれに複数割り当て、基本的にそれらのキーのひとつを複数回押下操作することによって任意の仮名、英字を選択して入力を行う。
【００２７】
しかし、図１の例からも明らかなように、通常、携帯電話機のキーパッドにおいては、特に数字以外の記号のサイズは比較的小さいため、高齢者などの視力に問題がある使用者にはキーパッド上の記号を判別するのが困難であった。特に、電子メールの文書の作成は、主に仮名文字入力によって行うが、高齢者などの視力に問題がある使用者にとっては、電子メールの文書入力時に、キーパッド上の仮名文字を視認することが非常に困難であった。また、高齢者用の携帯電話機も市販されているが、その種類は少なく、デザインなどを重視する使用者は、高齢者用以外の機種を使用したいという願望を持っていることが多い。
【００２８】
本発明は、上記のような問題点を克服したものである。即ち、本発明の携帯電話機のキーパッド用の脱着可能な吸着シート（以後、屡々「携帯電話キーパッド用吸着シート」と称す）は、仮名文字などの記号が、通常の携帯電話機のキーパッドと比較して大きく表示されており、且つ着脱が容易である。従って、高齢者等の視力に問題がある使用者が携帯電話機で電子メールを作成する際などに、本発明の脱着可能な吸着シートを携帯電話機のキーパッドに貼り付けることにより、仮名文字などの入力が容易になる。更に、本発明の携帯電話キーパッド用吸着シートは、接着剤や粘着剤を使用せずにキーパッドに吸着させることができるので、容易に且つキーバットを汚すことなく繰り返し脱着することができる。また、未使用時には携帯電話機本体の裏面などに貼り付けておくことができる。以下、図２及び３に参照して、本発明の携帯電話キーパッド用吸着シートに関して説明する。
【００２９】
図２及び３は、それぞれ本発明の携帯電話キーパッド用吸着シートの１つの態様を示す説明図である。
【００３０】
図２に示すように、本発明の携帯電話キーパッド用吸着シート３は、
携帯電話機のキーパッド１におけるのと同じ配列で、数字、仮名文字、アルファベット及びその他の記号からなる群より選ばれる少なくとも１種の記号が拡大表示された表面４、及び
脱着可能な吸着材料によって形成された裏面５
を有する。
【００３１】
また、表面４の拡大表示記号のサイズは、それに対応する携帯電話機のキーパッド１における原記号のサイズより大きい。表面４の拡大表示記号は、対応する携帯電話機のキーパッド１における原記号と相似形であっても非相似形であってもよい。即ち、表面４の拡大表示記号と携帯電話機のキーパッド１における原記号とは、同じ意味を有するものであれば、フォントの種類や、アスペクト比（高さに対する幅の比）などが異なっていても良い。例えば、図３においては、表面４の拡大表示記号のアスペクト比は、携帯電話機のキーパッド１における原記号のアスペクト比より大きい（即ち、表面４の拡大表示記号の方が縦長である）。
【００３２】
該表面４の拡大表示記号のサイズは、それに対応する携帯電話機のキーパッドにおける原記号のサイズの１．２倍以上であることが好ましい。数字の場合には、キーパッドの原記号自体が比較的大きく表示されているので、それ程拡大しなくても十分な視認性が確保できるが、数字以外の仮名文字などの記号の場合には、原記号のサイズの１．３倍以上であることがより好ましく、１．５倍以上であることが更に好ましく、１．８倍以上であることが特に好ましい。また、該表面４に２種以上の記号が表示されている場合、少なくとも１種が拡大表示されていれば、残りの記号は拡大表示されていなくてもよいし、原記号より小さいサイズであってもよい。例えば、図３のように、表面４に数字と仮名文字が表示されている場合、仮名文字のみを拡大表示し、数字は携帯電話機のキーパッド１における原記号と同じ又は小さいサイズであってもよい。尚、本発明の携帯電話キーパッド用吸着シートにおいては、該キーパッドの各キー間の隙間に対応する箇所も利用して、記号を大きく表示することもできる。
【００３３】
本発明において、該表面４の拡大表示記号は、仮名文字であることが好ましい。仮名文字が拡大表示されていると、高齢者など視力に問題がある使用者が電子メールなどを作成する際に入力が非常に楽になる。
【００３４】
表面４の拡大表示記号のサイズに関しては、上記したようにそれに対応する携帯電話機のキーパッドにおける原記号のサイズの１．２倍以上であれば特に制限はないが、９ポイント以上であることが好ましく、１０ポイント以上であることがより好ましく、１２ポイント以上であることが更に好ましく、１４ポイント以上であることが特に好ましい。大きさの上限に関しては、特に制限はないが、通常、２２ポイント以下である。（ここで、「ポイント」は、JIS（日本工業規格）の「JIS Z 8305:1962」に従うものであり、１ポイントは0.3514ｍｍである。）
【００３５】
表面４の記号は、例えば、表面４を形成する素材の上に直接印刷してもよいし、記号が印刷されたシールを貼付してもよい。印刷方法としては、グラビア印刷、シルクスクリーン印刷、オフセット印刷等の従来公知の印刷方法を使用することができる。印刷に用いるインキに関しても、それぞれの印刷方法で通常用いられるインキを使用すればよい。また、使用者が、マジックインキやボールペンなどを使用して手書きで書き込んでもよい。
【００３６】
また、表面４とそこに表示された記号の色に関しては、記号が容易に視認できる限り特に制限はないが、高度な視認性を得る観点から、背景が白又は黄で記号が黒の組合せ、背景が黒出で記号が白又は黄の組合せなどが好ましい。
【００３７】
表面４の素材に関しては特に制限はなく、例えば、紙、樹脂、繊維などが使用できる。また、後述する脱着可能な吸着材料によって形成されたシートの片面に上記の記号を表示し、この面を表面４として、反対の面を裏面５としてもよい。しかし、表面４は、繊維質材料で形成することが好ましい。特に、表面４を極細繊維で形成して、表面４に拭き取り性を付与することが好ましい。そのようにすることにより、本発明の吸着シート３を携帯電話機のキーパッドなどから剥がして、表面４により携帯電話機のディスプレイやキーパッドに付着した油分やゴミを拭き取ることができる。そのような表面４の具体的例としては、０．２デニール以下の繊維を主体として形成された、織布あるいは不織布の表面を起毛した布などが挙げられる。例えば、ポリエステル、ポリアミド、ポリオレフィン系、ポリアクリル系、あるいはそれらを組み合わせて、直接紡糸又は割繊法などにより製造された繊度０．２デニール以下の繊維を用いることができる。とりわけ、みかん状断面の形をした原糸から作られた割繊糸のように鋭角を持つ極細繊維は汚れ防止及び汚れ除去効果が大きくので好ましい。
【００３８】
上記の拭き取り性を有する繊維質材料の具体例としては、日本国特開２００６−１１５９０７号公報に記載されている繊維束からなる清掃具などが挙げられる。この公報に記載されている清掃具は、繊維束を構成する繊維の少なくとも５０重量％を占める繊維が次の特徴を有する機器用清掃具である。
１）親油性ポリマーと親水性ポリマーからなる繊維である。
２）断面形状は、扁平率が１．５以上の多角形又はそれに類似の形状と扁平率が１．５以上の扁平な形状又は扁平率が１．５以上の扁平な部分を組み合わせた形状、からなるものである。
３）１ｇ当り５０００ｃｍ2以上の表面積を有する。
【００３９】
また、上記の拭き取り性を有する繊維質材料としては市販されているものを使用することもできる。その具体例としては、カネボー合繊（株）製の「ベルーマＸ」（商標）を原糸として使った織物「ザビーナミニマックス」（商標）が挙げられる。その他、東レ（株）製の「トレシーミラクルクロス」（商標）、ユニチカ （株）製の「ミューフェス」（商標）などが挙げられる。さらに極細繊維の不織布としては日本バイリーン（株）製の「バイフレッシャー」（商標）、「アポロン」（商標）並びに同社製の静電気除去 性能を併せ持つ「電気とーる」（商標）がある。
【００４０】
次に、本発明の携帯電話キーパッド用吸着シート３の裏面５について説明する。裏面５は、脱着可能な吸着材料によって形成されている。ここで「脱着可能な吸着材料」とは、粘着剤や接着剤を使用せずとも被着体によく接着し、且つ容易に剥離することができる再剥離性を有するシート状の材料のことである。この脱着可能な吸着材料は、直径３００μｍ以下の開口を有する孔を、該裏面が吸盤として機能するに十分な数有する発泡吸着材料であることが好ましい。そのような吸着材料を使用した裏面５には、以下のようなメリットがある。
（１）携帯電話機のキーパッドや本体の裏面などの平滑面に何度でも貼り付け、剥がすことができる。
（２）従来の粘着シールとは異なり、エアーの巻きこみがなく簡単に綺麗に貼ることができる。
（３）温度に関係なく貼り付けることができる。
（４）被着面を汚さない。
（５）粘着剤を使用しないので、本発明の吸着シートをはがした後も被着面がべたつかない。
【００４１】
上記の発泡吸着材料の具体例としては、日本国特開２００１−１７１０５４号公報に記載のアクリル系樹脂を発泡させて得られる発泡成形シートの表面を切断および／または切削により除去して形成した吸盤層表面を有する発泡吸着シート；日本国特開２００２−６１０７６号公報に記載の、アクリル系樹脂エマルジョンとウレタン系樹脂エマルジョンとの混合物に、整泡剤、増粘剤、架橋剤を添加し、機械発泡させて発泡樹脂エマルジョンとし、この発泡樹脂エマルジョンをシートの片面にコーティングし、このコーティング層の表面を削いで気泡を開口させ表面平滑にし、加熱架橋してなる発泡吸着シート；日本国特開２００２−３６３３３０号公報に記載の、ガラス転移点が−４０〜＋１０℃のアクリル系重合体からなる発泡吸着シートであって、一表面から他表面へとセル径が厚さ方向に小さくなる傾向にあり、該一表面におけるセルの平均開口径（Ｄb）と、該他表面におけるセルの平均開口径（Ｄs）との比（Ｄb／Ｄs）が１．２５以上であることを特徴とするアクリル系発泡吸着シート；及び日本国特開２００６−１７６６９３号公報に記載の分子中にＮ−メチロール基を有しない（メタ）アクリル酸エステル共重合体樹脂、及びオキサゾリン架橋剤を含有してなる樹脂組成物を発泡させて得られる発泡吸着シートなどが挙げられる。
【００４２】
また、直径３００μｍ以下の開口を有する孔の数に関しては、十分な吸盤効果が得られる限り特に限定はない。例えば、上記日本国特開２００６−１７６６９３号公報に記載されている１８０度剥離試験により測定した剥離力が、好ましくは０．０１〜０．３Ｎ／ｃｍ、より好ましくは０．０３〜０．２５Ｎ／ｃｍ、特に好ましくは０．０５〜０．２Ｎ／ｃｍになるような数の孔を形成すればよい。上記の１８０度剥離試験においては、ＪＩＳ Ｚ０２３７ 粘着テープ・粘着シート試験法に準じて、常温下での以下のテストを行う。長さ１２５ｍｍ、幅５０ｍｍのアルミ板被着体に、長さ２５０ｍｍ、幅２５ｍｍの試験片を、両者の長手方向が平行になるように、両者の一端部が一致するように、かつ両者の幅方向の中心部が一致するように、貼着する。これをＪＩＳ Ｋ６３０１に規定する圧着装置を用いて１往復圧着する。３０分経過後に、引き剥がし速度３００ｍｍ／分の引き剥がし速度で、試験片を１８０度剥離し、そのときの剥離力（単位：Ｎ／ｃｍ）を求める。
この数値が大きいほど、発泡吸着シートの吸着力が大きい。
【００４３】
また、上記のような発泡吸着シートとしては、市販のものを使用することもできる。市販の発泡吸着シートの例としては、大成ラミネーター（株）製の「セロピー５５５」（商標）やアキレス（株）製の「ピタゴラス」（商標）などが挙げられる。
【００４４】
上記のような発泡吸着シートの片面（吸盤としての機能を有する面）に上記の記号を表示し、この面を表面４として、反対の面を裏面５としてもよい。しかし、基材の片面に上記の公報に記載されている方法で吸着材層を形成し、繊維質材料の面に上記の記号を印刷して該表面とし、反対の吸着剤の面を該裏面とすることがより好ましい。基材に関しては、例えば紙、プラスチックシート、及び上記の織布及び不織布などの繊維質材料で形成されたシートなどが挙げられ、特に上記の繊維質材料で形成されたシートを使用することが好ましい。また、上記の基材と発泡吸着シートとを粘着剤又は接着剤で貼り合わせてもよい。例えばポリアクリル系の粘着剤が使用できる。
【００４５】
また、必要に応じて補強のためのフイルムを繊維質材料で形成されたシートと発泡吸着シートとの間に配することができる。例えばポリエチレンやポリエステルなどの熱可塑性フイルムを発泡吸着シートに熱融着することにより補強フイルム層が得られる。この補強のためのフイルムは本発明の吸着シートに適当な腰の強さを与えると共に伸びを防止し、寸法を安定させる効果を発揮する。
【００４６】
本発明の吸着シート３の厚みに関しては、十分な強度が得られ、且つ携帯電話機のキーパッッドに貼付した際にキー操作を快適に行える限り特に制限はないが、一般的には０．３〜２．５ｍｍであり、好ましくは０．５〜２．０ｍｍであり、より好ましくは０．７〜１．５ｍｍであり、特に好ましくは０．８〜１．２ｍｍである。また、本発明の吸着シート３が、上記の繊維質材料等で形成された表面４を有する層と、脱着可能な吸着材料で形成された裏面５を有する層とを含む多層構造である場合、それぞれの層の厚みに関しては、表面４の拭き取り性や裏面５の吸着性などの所望の特性が得られ、多層構造全体の厚みが上記の範囲内になる厚みであれば特に制限はない。
【図面の簡単な説明】
【００４７】
【図１】一般的な携帯電話機のキーパッドの説明図
【図２】図１のキーパッドに貼付した状態の本発明の吸着シートの１つの態様の説明図である。
【図３】図１のキーパッドに貼付した状態の本発明の吸着シートの他の１つの態様の説明図である。
【符号の説明】
【００４８】
１    携帯電話機のキーパッド
２    携帯電話機の操作キー
３    本発明の吸着シート
４    本発明の吸着シートの表面
５    本発明の吸着シートの裏面
【図１】
2010021722.tif 000003
【図２】
2010021722.tif 000004
【図３】
2010021722.tif 000005